(57)【特許請求の範囲】
【請求項１】
前後方向に長い径を有し、かつ本体よりも前方に突出して設けられた環状のレールの外周部に回転自在に装着されたソーチェーンを備えた携帯式チェーンソーの、ソーチェーンとレールとの間を潤滑するオイルのオイルタンクにおいて、
内部を前寄りの第１室(23)及び後寄りの第２室(24)に仕切る仕切り板(22)と、第１室(23)に設けた吸出口(21)と、吸出口(21)の前方に設けた、第１室(23)及び第２室(24)を連通する連通口(25)とを備えたことを特徴とする携帯式チェーンソーのオイルタンク。
【請求項２】
請求項１記載の携帯式チェーンソーのオイルタンクにおいて、
前記仕切り板(22)は、下方に所定長さ延びた基端部(22a)と、基端部(22a)の先端からオイルタンク(20)の底板(20a)に対して略平行に前方へ曲がって設けられた先端部(22b)とからなり、
前記吸出口(21)は、前記第１室(23)内の仕切り板(22)の基端部(22a)近傍で、かつ先端部(22b)近傍に位置する
ことを特徴とする携帯式チェーンソーのオイルタンク。
【請求項３】
請求項１又は２記載の携帯式チェーンソーのオイルタンクにおいて、吸出口(21)は、前方に向かって左右方向で、かつソーチェーン(5) の装着側の壁に設けられたことを特徴とする携帯式チェーンソーのオイルタンク。
【請求項４】
請求項１記載の携帯式チェーンソーのオイルタンクにおいて、連通口(25)は第１室(23)の前端部近傍に設けられたことを特徴とする携帯式チェーンソーのオイルタンク。
【発明の詳細な説明】
【０００１】
【発明の属する技術分野】
本発明は、携帯式チェーンソーに設けられたソーチェーン潤滑オイル用のオイルタンクに関する。
【０００２】
【従来の技術】
図４は携帯式チェーンソー１の側面図であり、図５は平面図である。本体２の後端部には後部ハンドル３が設けられ、本体２のほぼ中央部には前部ハンドル４が設けられている。本体２の前部で、平面視の右側には、前後方向に長い径を有する細長い平面状のレール６がその平面を平面視に対して垂直にして、かつ前方に突出させて固設されている。レール６の外周部には、ソーチェーン５が摺動及び回転自在に卷装されている。
【０００３】
作業時には作業者は前部ハンドル４、及び後部ハンドル３を把持し、ソーチェーン５を駆動して木を切断する。一般には、図４に示すように、ソーチェーン５が略鉛直面内で回転するようにし、ソーチェーン５の長手方向が略水平か、又は多少前下がりの姿勢で作業するが、時によりソーチェーン５を前上がりの姿勢にして高い位置の枝等を切断したり、ソーチェーン５を略水平面内で回転する向きにして作業する場合もある。ソーチェーン５を略水平面内で回転する向きにして作業する場合は、ソーチェーン５側を下にする。前上がり姿勢や、横向き姿勢での作業時間は一般に数分程度で短い。
【０００４】
図６は従来の携帯式チェーンソー１ａの側面断面図であり、図７は平面断面図である。本体２の中央部にはエンジン１０が取着され、平面視でクランクシャフト１１の右端部にはソーチェーン５を駆動するためのチェーンスプロケット１２が取着されている。本体２のチェーンスプロケット１２側にはソーチェーン５を外周に摺動自在に卷装したレール６が固設されている。エンジン１０の後方で、後部ハンドル３との間には燃料タンク１３ａが設けられている。エンジン１０の前方には、ソーチェーン５とレール６との摺動面を潤滑する潤滑オイル用のオイルタンク２０ａが設けられている。またオイルタンク２０ａの上部で、かつ後部には吸出口２１が設けられている。この吸出口２１には先端部にウェイト３１とオイルフィルタ３０とを取着した可撓式のチューブ３２の基端部が取着されており、チューブ３２の先端部をオイルタンク２０ａ内に向けている。
【０００５】
つぎに作動について説明する。伐採作業等を行う場合には、作業者はエンジン１０を始動し、前方ハンドル４と後方ハンドル３とを把持し、ソーチェーン５を非切断物に押し当てて切断作業をする。エンジン１０を始動すると、ソーチェーン５は図示しない自動遠心クラッチを介しスプロケット１２により駆動されてレール６の周囲を摺動する。図示しないポンプはオイルタンク２０ａのオイルを吸出口２１から吸い出し、ソーチェーン５とレール６との間に供給して潤滑する。オイルタンク２０ａ内のオイルはオイルフィルタ３０からチューブ３２を通って吸い出される。
前述のように、オイルフィルタ３０はウェイト３１と共に可撓式のチューブ３２の先端部に取着されているため、常に低い位置、すなわち、オイルタンク２０ａ内のオイルの貯溜している場所に移動する。したがって、ソーチェーン５を前上がりの姿勢にしたり、横向きにして作業する場合においてもオイルフィルタ３０は常にオイルの貯溜している低い場所に移動することとなり、オイルタンク２０ａ内のオイルは、減少して低部に貯溜した分まで吸い出し可能である。一般に、オイルの補給は燃料の補給と同時に行われ、オイルタンク２０ａの容量は燃料タンク１３ａの容量に対応して定められる。
【０００６】
【発明が解決しようとする課題】
しかしながら、上記構成においては、オイルフィルタ３０及びウェイト３１を可撓式のチューブ３２の先端部に取着してオイルフィルタ３０を常にオイルの貯溜している場所に、つまり下部に位置するようにしなければならない。このため、構造が複雑となり、部品点数も多く、コストも高いという問題がある。
【０００７】
本発明は、上記の問題点に着目し、構造が簡単で、コストの安い携帯式チェーンソーのオイルタンクを提供することを目的としている。
【０００８】
【課題を解決するための手段、作用および効果】
上記の目的を達成するために、本発明に係る携帯式チェーンソーのオイルタンクの第１発明は、前後方向に長い径を有し、かつ本体よりも前方に突出して設けられた環状のレールの外周部に回転自在に装着されたソーチェーンを備えた携帯式チェーンソーの、ソーチェーンとレールとの間を潤滑するオイルのオイルタンクにおいて、内部を前寄りの第１室及び後寄りの第２室に仕切る仕切り板と、第１室に設けた吸出口と、吸出口の前方に設けた、第１室及び第２室を連通する連通口とを備えた構成としている。
【０００９】
第１発明によれば、携帯式チェーンソーが水平姿勢の場合はオイルが連通口を経由して前部に設けた第１室に貯溜し、さらに前上がりの姿勢で作業する場合でも、第１室の前方に連通口が設けてあるので第１室のオイルの一部は連通口を経由して第２室に戻ることなく第１室に貯溜する。このため、オイルを第１室に設けた吸出口から吸い出してソーチェーンを潤滑することができる。これにより、例えばオイルフィルタを吸出口に直接取着した構成でも前上がり作業時に支障を来すことはない。したがって、従来のようなチューブや重りは不要となるので、部品点数が少なくなり、構造が簡単で、コストの安い携帯式チェーンソーのオイルタンクが得られる。
【００１０】
また第２発明は、第１発明に基づき、仕切り板は、下方に所定長さ延びた基端部と、基端部の先端からオイルタンクの底板に対して略平行に前方へ曲がって設けられた先端部とからなり、吸出口は、第１室内の仕切り板の基端部近傍で、かつ先端部近傍に位置する構成としている。
【００１１】
第２発明によれば、携帯式チェーンソーを前上がりの姿勢にして作業する場合、吸出口が第１室の一番低い位置となるため、第１室に貯溜したオイルを底部の分まで吸い出し可能であり、前上がり姿勢での作業でもソーチェーンの潤滑を確実に行うことができる。
【００１２】
第３発明は、第１又は第２発明に基づき、吸出口は、前方に向かって左右方向で、かつソーチェーンの装着側の壁に設けられた構成としている。
【００１３】
第３発明によれば、ソーチェーンの回転面を水平面に平行にして作業する場合、一般にソーチェーンの装着側を下にして作業する。このとき、吸出口をソーチェーンの装着側の壁に設けているので、オイルが減少しても吸い出し可能となり、ソーチェーンの潤滑を確実に行うことができる。
【００１４】
第４発明は、第１発明に基づき、連通口は第１室の前端部近傍に設けられた構成としている。
【００１５】
第４発明によれば、連通口を第１室の前端部近傍に設けているので、携帯式チェーンソーを前上がりの姿勢で作業する場合に連通口から第２室に戻るオイルの量が少なくなり、第１室に貯溜するオイルの量を多くすることができる。したがって、前上がり姿勢での潤滑可能時間を長くすることができるので、長時間作業が可能となり、作業上有利である。
【００１６】
【発明の実施の形態】
以下に本発明に係る携帯式チェーンソーのオイルタンクの実施形態について、図１〜図３を参照して詳述する。
【００１７】
図１はオイルタンク２０の側面断面図であり、図２は図１のＡ−Ａ断面図である。携帯式チェーンソー１の本体２に搭載されたエンジン１０の後方で、後部ハンドル３の前部には上部に燃料タンク１３が設けられ、その下側にオイルタンク２０が設けられている。オイルタンク２０内の前側上部には、オイルタンク２０を前寄り（ソーチェーン５の取着側）の第１室２３と後寄りの第２室２４とに分割する仕切り板２２が設けられている。仕切り板２２は、下方に所定長さ延びた基端部２２ａと、基端部２２ａの先端からオイルタンク２０の底板２０ａに対して略平行に前方へ曲がって設けられた先端部２２ｂとからなっている。仕切り板２２の先端部２２ｂとオイルタンク２０の底板２０ａとの間には、隙間Ｃを設けている。第１室２３の後端部近傍で、かつ下端部近傍には吸出口２１が設けられており、吸出口２１にオイルフィルタ３０が取着されている。吸出口２１は図２に示すように、オイルタンク２０のソーチェーン５の取付側、つまり本例では前方を向いて右側に設けられている。また仕切り板２２の前端部には第１室２３と第２室２４とを連通する連通口２５が設けられており、隙間Ｃと共に第１室２３と第２室２４とを連通している。なお、第１室２３の容量は、ソーチェーン５を上向きにした場合、所定時間（例えば数分）の潤滑に十分な容量に定められる。
【００１８】
次に、作動について説明する。通常作業は前述のように、ソーチェーン５を略水平か、多少前下がりの姿勢で作業するため、吸出口２１はオイル内に位置するので、図示しないポンプによりオイルを吸い上げることは可能である。
ソーチェーン５を前上がりにした場合には、図３に示すように、オイルＢは仕切り板２２の基端部と先端部との間の屈折部に溜り、第１室２３にも貯溜することになる。したがって、前上がり作業に必要な所定時間内はオイルを吸い上げることが可能であり、潤滑に支障を来すことはない。
また、ソーチェーン５の回転面を水平面に略平行に向けて作業する場合においては、一般にソーチェーン５側を下向きにして作業するため、オイルは第１室２３内のオイルフィルタ３０側に貯溜するので、オイル量が減少しても吸い出すことが可能である。
【００１９】
本発明に係る携帯式チェーンソー１のオイルタンク２０は、上述のような構成としたため、実用上ソーチェーン５の潤滑に支障を来すことのない、構造が簡単で、コストの安いオイルタンクを得ることができる。
【図面の簡単な説明】
【図１】本発明のオイルタンクの側面断面図である。
【図２】図１のＡ−Ａ矢視図である。
【図３】本発明のオイルタンクの、ソーチェーンを前上がりにしたときの状況を示す断面図である。
【図４】携帯式チェーンソーの側面図である。
【図５】携帯式チェーンソーの平面図である。
【図６】従来のオイルタンクの側面断面図である。
【図７】従来のオイルタンクの平面断面図である。
【符号の説明】
１：携帯式チェーンソー、２：本体、３：後部ハンドル、５：ソーチェーン、６：レール、１０：エンジン、１３：燃料タンク、２０：オイルタンク、２１：吸出口、２２：仕切り板、２３：第１室、２４：第２室、２５：連通口、３０：オイルフィルタ。
【図１】
0003745557.tif 000002
【図２】
0003745557.tif 000003
【図３】
0003745557.tif 000004
【図４】
0003745557.tif 000005
【図５】
0003745557.tif 000006
【図６】
0003745557.tif 000007
【図７】
0003745557.tif 000008